【手続補正書】
【提出日】平成17年7月20日(2005.7.20)
【手続補正１】
【補正対象書類名】明細書
【補正対象項目名】特許請求の範囲
【補正方法】変更
【補正の内容】
【特許請求の範囲】
【請求項１】
物体側から順に、正の第１群、正の第２群、負の第３群で構成され、広角端から望遠端への変倍に際し、各群がそれぞれ像側から物体側に移動し、以下の条件式を満足することを特徴とするズームレンズ。
ＬT ／ｆT ＜０．７５                                  ・・・（１）
ただし、ＬT は望遠端でのレンズ系前面からフィルム面までの距離、ｆT は望遠端での全系の焦点距離である。
【請求項２】
物体側から順に、正の第１群、負の第２群、正の第３群、負の第４群で構成され、広角端から望遠端への変倍に際し、各群がそれぞれ像側から物体側に移動し、以下の条件式を満足することを特徴とするズームレンズ。
ＬT ／ｆT ＜０．６５                                ・・・（１’）
ただし、ＬT は望遠端でのレンズ系前面からフィルム面までの距離、ｆT は望遠端での全系の焦点距離である。
【請求項３】
物体側から順に、正の第１群、正の第２群、負の第３群で構成され、広角端から望遠端への変倍に際し、各群がそれぞれ像側から物体側に移動し、第１群は、物体側から順に、正レンズと負レンズとで構成され、以下の条件式を満足することを特徴とするズームレンズ。
０．２＜ｆ1 ／ｆT ＜０．５                            ・・・（２）
ただし、ｆ1 は第１群の焦点距離、ｆT は望遠端での全系の焦点距離である。
【請求項４】
物体側から順に、正の第１群、正の第２群、負の第３群で構成され、広角端から望遠端への変倍に際し、各群がそれぞれ像側から物体側に移動し、最終レンズ群は、物体側から順に、負レンズ、正メニスカスレンズ、負レンズで構成されていることを特徴とするズームレンズ。
【請求項５】
物体側から順に、正の第１群、正の第２群、負の第３群で構成され、広角端から望遠端への変倍に際し、各群がそれぞれ像側から物体側に移動し、第２群は、物体側から順に、負レンズと正レンズの接合レンズ、正レンズで構成され、以下の条件式を満足することを特徴とするズームレンズ。
ｆT ／ｆw ＞３                                        ・・・（３）
ただし、ｆT は望遠端での全系の焦点距離、ｆw は広角端での全系の焦点距離である。
【請求項６】
請求項１記載のズームレンズにおいて、下記条件式を満足することを特徴とするズームレンズ。
ＬT ／ｆT ＜０．６５                                ・・・（１’）
【請求項７】
請求項１又は２記載のズームレンズにおいて、下記条件式を満足することを特徴とするズームレンズ。
０．４＜ＬT ／ｆT                                   ・・・（１”）
【請求項８】
請求項１又は２記載のズームレンズにおいて、下記条件式を満足することを特徴とするズームレンズ。
ＬT ＜１００                                          ・・・（５）
【請求項９】
請求項１又は２記載のズームレンズにおいて、下記条件式を満足することを特徴とするズームレンズ。
０．２＜ｆ1 ／ｆT ＜０．５                            ・・・（２）
ただし、ｆ1 は第１群の焦点距離、ｆT は望遠端での全系の焦点距離である。
【請求項１０】
請求項１又は２記載のズームレンズにおいて、レンズ枚数は１０枚未満で構成されていることを特徴とするズームレンズ。
【請求項１１】
物体側から順に、正の第１群、負の第２群、正の第３群、負の第４群で構成され、広角端から望遠端への変倍に際し、各群がそれぞれ像側から物体側に移動し、第１群は、物体側から順に、正レンズと負レンズとで構成され、以下の条件式を満足することを特徴とするズームレンズ。
０．２＜ｆ1 ／ｆT ＜０．４                          ・・・（２’）
ただし、ｆ1 は第１群の焦点距離、ｆT は望遠端での全系の焦点距離である。
【請求項１２】
請求項２記載のズームレンズにおいて、下記条件式を満足することを特徴とするズームレンズ。
０．２＜ｆ1 ／ｆT ＜０．４                          ・・・（２’）
ただし、ｆ1 は第１群の焦点距離、ｆT は望遠端での全系の焦点距離である。
【請求項１３】
物体側から順に、正の第１群、正の第２群、負の第３群で構成され、広角端から望遠端への変倍に際し、各群がそれぞれ像側から物体側に移動し、第２群は、物体側から順に、負レンズ、正レンズ、正レンズで構成され、以下の条件式を満足することを特徴とするズームレンズ。
０．０５＜ｄ／ｆw ＜０．１５                          ・・・（６）
ただし、ｄは第２群第２レンズと第３レンズとの距離である。
【請求項１４】
請求項５記載のズームレンズにおいて、開口絞りが前記接合レンズと正レンズの間に設けられていることを特徴とするズームレンズ。
【請求項１５】
請求項１〜５、１１、１３の何れか１項記載のズームレンズにおいて、最終負レンズ群に非球面を有することを特徴とするズームレンズ。
【請求項１６】
請求項１〜５、１１、１３の何れか１項記載のズームレンズにおいて、第２群に非球面を有することを特徴とするズームレンズ。
【請求項１７】
請求項１、３〜５、１３の何れか１項記載のズームレンズにおいて、下記条件式を満足することを特徴とするズームレンズ。
０．２＜｜ｆ3 ｜／ｆ2 ＜０．６                        ・・・（４）
ただし、ｆ3 は第３群の焦点距離、ｆ2 は第２群の焦点距離である。
【請求項１８】
請求項１７記載のズームレンズにおいて、下記条件式を満足することを特徴とするズームレンズ。
０．２＜｜ｆ3 ｜／ｆ2 ＜０．５                      ・・・（４’）
ただし、ｆ3 は第３群の焦点距離、ｆ2 は第２群の焦点距離である。
【請求項１９】
物体側から順に、正の第１群、正の第２群、負の第３群で構成され、広角端から望遠端への変倍に際し、各群がそれぞれ像側から物体側に移動し、以下の条件式を満足するズームレンズを搭載したことを特徴とするカメラ。
ＬT ／ｆT ＜０．７５                                  ・・・（１）
ただし、ＬT は望遠端でのレンズ系前面からフィルム面までの距離、ｆT は望遠端での全系の焦点距離である。
【請求項２０】
請求項１９のズームレンズ、又は、物体側から順に、正の第１群、負の第２群、正の第３群、負の第４群で構成され、広角端から望遠端への変倍に際し、各群がそれぞれ像側から物体側に移動するズームレンズが下記条件式を満足するズームレンズを搭載したことを特徴とするカメラ。
ＬT ／ｆT ＜０．６５                                ・・・（１’）
ただし、ＬT は望遠端でのレンズ系前面からフィルム面までの距離、ｆT は望遠端での全系の焦点距離である。
【請求項２１】
請求項１〜５、１１、１３の何れか１項記載のズームレンズにおいて、ズーミング時に第１群と最終群の距離が変わらないことを特徴とするズームレンズ。
【請求項２２】
物体側から順に、正の第１群、正の第２群、負の第３群で構成され、広角端から望遠端への変倍に際し、各群がそれぞれ像側から物体側に移動し、以下の条件式を満足することを特徴とするズームレンズ。
０＜（Ｄ1W＋Ｄ2W）／（Ｄ1T＋Ｄ2T）＜１                ・・・（７）
ただし、Ｄ1W：広角端の第１群と第２群の群間隔、
Ｄ2W：広角端の第２群と第３群の群間隔、
Ｄ1T：望遠端の第１群と第２群の群間隔、
Ｄ2T：望遠端の第２群と第３群の群間隔、
である。
【請求項２３】
請求項１、３〜５、１３の何れか１項記載のズームレンズにおいて、以下の条件式を満足することを特徴とするズームレンズ。
０＜（Ｄ1W＋Ｄ2W）／（Ｄ1T＋Ｄ2T）＜１                ・・・（７）
ただし、Ｄ1W：広角端の第１群と第２群の群間隔、
Ｄ2W：広角端の第２群と第３群の群間隔、
Ｄ1T：望遠端の第１群と第２群の群間隔、
Ｄ2T：望遠端の第２群と第３群の群間隔、
である。
【請求項２４】
請求項１〜２３の何れか１項記載のズームレンズを備え、その像面に撮像部材を備えていることを特徴とする撮像装置。